(57)【要約】【目的】エアコンの吹出口に取り付けて、冷気や暖気を拡散して、該冷気や暖気が直接人にあたり不快感をあたえているのを防止するエアコン吹出口の風向可変ルーバー長さ調整構造を提供する。【構成】同一形状に成形された風向可変ルーバーを二枚横列し、該二枚の風向可変ルーバーをジョイント部材にて連結一体化してルーバー長さの伸張を図り、該二枚の風向可変ルーバーはジョイント部材内で互いに摺動可能で伸縮できることを特徴とする。【選択図】　図４
2004138364.tif 000002
【特許請求の範囲】
【請求項１】
同一形状に成形された風向可変ルーバーを二枚横列し、該二枚の風向可変ルーバーを前記風向可変ルーバーと同形状断面を持ち両端に前記ルーバー嵌合縁部を有するジョイント部材にて連結一体化して風向可変ルーバーの長さを伸張させ、エアコン外装部の吹出口縁部近傍に止着される一対の固定板、該一対の固定板に設けられた一対の支持アーム、該一対の支持アームの先端部に設けられた一対の軸受け部間に前記伸張した風向可変ルーバーを軸架して長い吹出口を該風向可変ルーバーにて覆うこと、
を特徴とするエアコン用吹出口の風向可変ルーバーの長さ調整構造。
【請求項２】
前記ジョイント部材にて連結一体化される二枚の風向可変ルーバーは該ジョイント部材間にて互いに摺動可能で伸縮できること、
を特徴とする請求項１記載のエアコン吹出口の風向可変ルーバーの長さ調整機構。
【請求項３】
前記同一形状に成形された風向可変ルーバーを二枚横列し接続するジョイント部材が両端に風向可変ルーバーの断面形状と同様の内径部を有する鞘管形状ジョイント部材であり、該鞘管形状ジョイント部材により前記二枚の風向可変ルーバーは連結一体化して伸張し、該二枚の風向可変ルーバーは鞘管形状ジョイント部材内で互いに摺動可能で伸縮できること、
を特徴とする請求項１乃至請求項２記載のエアコン用吹出口の風向可変ルーバーの長さ調整構造。
【発明の詳細な説明】
【０００１】
【発明の属する分野】
本発明はエアコンの吹き出す冷気または暖気を種々の方向に拡散させるためにエアコン吹出口に後付される風向可変ルーバーの長さ調整構造に関するものである。
【０００２】
特に本発明は、業務用としてオフィス等の天井に設置される埋め込み型エアコンや壁付けエアコン、或いは家庭用エアコンと機種により、またメーカーにより異なるエアコン吹出口の長さに対応できるエアコン用風向可変ルーバーの長さ調整構造に関するものである。
【０００３】
【従来の技術】
エアコンの吹出口には通常、吹出口内部に可動ルーバーが取り付けられており、該可動ルーバーの角度をコントロールして風向を設定したり、自動的に風向が変化できるような制御装置が組み込まれている。
【０００４】
しかしながら、設定された風向は、決められた位置に事務机を配置して仕事をしている者にとっては、直接冷気や暖気があたり、不快感をあたえている。また、前記自動的に風向変化ができるようにエアコンを設定したとしても、周期的にやってくる冷気や暖気の風は強烈で、書類をなびかせたり、当該部にて仕事をしている者に不快感をあたえており、この現象は、エアコンの冷暖房効率がアップすればするほど冷気や暖気の吹出しが強烈になり、問題となってきた。
【０００５】
上記の問題を解決するため、従来、エアコンの吹出口に風向を変えるための可変ルーバーや翼形状板を後付けする装置が種々商品化されている。しかしながら前記従来商品の可変ルーバーや翼形状板は、合成樹脂を金型成形して形成されているものであり、エアコンの種類やメーカーによって異なる冷気や暖気の吹出口の長さにそれぞれ対応できるものではなく、吹出口の長さに対して多少の長いもの、または短い可変ルーバーや翼形状板を、そのまま前記吹出口を覆う形で設置され効率が悪く、美観を損なう商品であった。
【０００６】
また、翼形状板を用いた吹出口の風向可変装置にあっては、エアコン吹出口に沿って二組の翼形状板を横列して設けた例も見られるが、隣接して設けられる翼形状板を接触させて設ければ振動音の発生原因になり、ある隙間を設けて別個に２枚の翼形状板を設置していることから、美観を損なう商品であるばかりか、前記隙間より冷気や暖気が直接エアコン近傍にいる人にあたり不快感をあたえている。
【０００７】
【発明が解決しようとする課題】
本発明は上記問題に鑑みなされたもので、エアコンの吹き出す冷気や暖気を、一旦ルーバーに衝突させて拡散する外付けタイプエアコン用風向可変ルーバーの長さ調整構造に係り、本発明は業務用としてオフィス等の天井に設置される埋め込み型エアコンや壁付エアコン、或いは家庭用エアコンと機種により、またはメーカーにより異なるエアコンの吹出口の長さに対応できるエアコン用風向可変ルーバーの長さ調整構造に関するものである。
【０００８】
更に本発明に於いては、従来商品の欠点である暖気や冷気の拡散効率を高め、簡単な構成にて美観を損なわないエアコン用風向可変ルーバーの長さ調整構造を提供するものである。
【０００９】
【課題を解決するための手段】
本発明に係るエアコン用風向可変ルーバーの長さ調整構造は、例えば、エアコンの吹出口近傍に両面粘着テープ等を介して取り付けられる一対の固定板、該一対の固定板表面にそれぞれ形成される嵌合溝、該それぞれの嵌合溝に嵌脱自在なＴ字型固定部を有する一対の支持アーム、該一対の支持アームの先端部から互いに対向し突出して設けられた一対の軸受け部、該軸受け部間に風向可変ルーバーを回転自在に挟持して、利用者が任意に風向可変ルーバーの回転角度を可変できる構成の外付けタイプのエアコン風向可変装置に使用されて顕著な効果を生じる。
【００１０】
前記風向可変装置に用いられる風向可変ルーバーは円弧状断面を有する短冊形状を有し、該風向可変ルーバーは長手方向両端部にそれぞれ回転軸を有し、前記支持アームの先端部から互いに対向し突出して設けられた一対の軸受け部に軸架されている構成となっており、該風向可変ルーバーは通常、一般的な機種のエアコン吹出口の長さに設定されかつ合成樹脂等により金型成形されて作られているのであるから、種々の長さを有する風向可変ルーバーを準備して在庫して置くことは困難である。
【００１１】
従って冷暖房効率を追求した業務用エアコンや、メーカーによっては業務用に限らずエアコン吹出口そのものが長くなり、従来商品のような不都合が生じていた。
【００１２】
斯くして、本発明は、同一形状に形成された風向可変ルーバーを２枚横列し、該二枚の風向可変ルーバーを前記風向可変ルーバーと同一形状断面を持ち両端に前記可変ルーバー嵌合縁部を有するジョイント部材にて連結一体化して風向可変ルーバーの長さを伸張させ、エアコン外装部の吹出口縁部近傍に止着される一対の固定板、該一対の固定板に設けられた一対の支持アーム、該一対の支持アームの先端部に設けられた一対の軸受け部間に前記伸張した風向可変ルーバーを軸架してエアコンの長い吹出口を前記風向可変ルーバーにて覆う構成とした。
【００１３】
また、前記ジョイント部材にて連結一体化される二枚の風向可変ルーバーは該ジョイント部材間にて互いに摺動可能で伸縮できる構成とした。
【００１４】
更に本発明の他の実施例においては、前記同一形状に形成された風向可変ルーバーを二枚横列し接続するジョイント部材が両端に風向可変ルーバーの断面形状と同様の内径を有する鞘管形状ジョイント部材であり、該鞘管形状ジョイント部材により前記二枚の風向可変ルーバーは連結一体化して伸張し、該二枚の風向可変ルーバーは鞘管形状ジョイント部材内で互いに摺動可能で伸縮できる構成ととした。
【００１５】
従って、本発明は風向可変ルーバーのジョイント部材を介して、二枚の風向可変ルーバーを連結一体化することにより、エアコンの吹出口が長い機種にあっても対応でき、前記ジョイント部材内にて、二枚の風向可変ルーバーを互いに摺動させて、連結した風向可変ルーバーの総体長さを調整できる。
【００１６】
【発明の実施の形態】
本発明の実施の形態を図１乃至図８に基づき詳説する。図１はエアコンの吹出口に本発明に使用される風向可変ルーバーを取り付けた状態を示す正面図、図２は図１のＡ−Ａ断面図、図３は天井組み込み型エアコンに前記風向可変ルーバーを取り付けた状態を説明する天井伏せ図、図４は風向可変ルーバーに本発明のルーバー長さ調整機構を組み込んだ状態を示す説明図、図５はルバーのジョイント部材の形状を説明する斜視図、図６風向可変ルーバーに本発明の他の実施例となるルーバー長さ調整機構を組み込んだ状態を示す説明図、図７は前記他の実施例のジョイント部材の形状を説明する斜視図、図８は本発明の実施にて長さを調整された風向可変ルーバーをエアコン外装部に取りつけた状態を示す説明図である。。
【００１７】
図１乃至図８において、１はエアコンの外装部、２はエアコンの吹出口、３ａ、３ｂは一対の固定板を示している。該固定板３ａ、３ｂはエアコンの外装部１の吹出口２の縁部近傍に両面粘着テープ等から成る止着部４ａ、４ｂを介してそれぞれ取り付けされており、その表面には嵌合溝５ａ、５ｂがそれぞれ形成されている。
【００１８】
６ａ、６ｂは一対の支持アームを示しており、該支持アーム６ａ、６ｂは一端にＴ字型固定部７ａ、７ｂを有しており、他端先端部には互いに対向し突出して設けられた一対の軸受け部８ａ、８ｂを有しており、前記、支持アーム６ａ、６ｂとＴ字型固定部７ａ、７ｂ及び軸受け部８ａ、８ｂはそれぞれ一体成形にて製作されている。
【００１９】
また、支持アーム６ａ、６ｂのＴ字型固定部７ａ、７ｂは、前記固定板３ａ、３ｂの表面に形成された嵌合溝５ａ、５ｂにそれぞれ嵌脱自在に挿嵌されており、支持アーム６ａ　のＴ字型固定部７ａの嵌合溝５ａへの挿嵌方法は、簡単に行え、取り外しの際には、逆動作を行えばよい。
【００２０】
風向可変ルーバー９は、円弧状断面を有する短冊形状をしており、該風向可変ルバー９は、長手方向両端部に回転軸１０ａ、１０ｂを有しており、該回転軸１０ａ、１０ｂはそれぞれ前記支持アーム６ａ、６ｂの先端部から互いに突出して設けられた一対の軸受け部８ａ、８ｂ間に軸架され、支持アーム６ａと支持アーム６ｂ間にて回転自在に挟持された状態にて保持されている。
【００２１】
而して本発明の要旨となる風向可変ルーバーの長さ調整機構を図４乃至図８にて説明する。風向可変ルーバー９ａ、９ｂは円弧状断面を有する短冊形状を有しており、該同一形状に形成された風向可変ルーバー９ａ、９ｂを二枚横列し、該二枚風向可変ルーバー９ａ、９ｂと同形状の断面を持ち両端に可変ルーバーの嵌合縁部１１ａ、１１ｂを有するジョイント部材１２にて連結一体化して風向可変ルーバー９ａ、９ｂの総体長さを伸張させる。
【００２２】
総体長さを伸張された風向可変ルーバー９（９ａ、９ｂを一体化したものの総称）は、図８に示すようにエアコン外装部１の吹出口縁部近傍に止着される一対の固定板３ａ、３ｂ表面に着脱可能に設けられた一対の支持アーム６ａ、６ｂ、該支持アーム６ａ、６ｂの先端部に設けられた一対の軸受け部８ａ、８ｂ間に前記伸張された風向可変ルーバー９が軸架され、長い吹出口２を有するエアコンであっても風向可変ルーバー９にて充分覆うことができる構成とした。
【００２３】
尚、図５は前記ジョイント部材１２の形状を説明する斜視図であり、両端に可変ルーバー嵌合縁部１１ａ、１１ｂを有し、ジョイント部材１２の断面形状は風向可変ルーバー９ａ、９ｂと略同一断面形状を有している。
【００２４】
また、前記ジョイント部材１２にて連結一体化されている二枚の風向可変ルーバーは、該ジョイント部材１２間にて互いに摺動可能で、伸縮できる構成とした。
【００２５】
而して図６及び図７は、本発明の他の実施例を説明するものであり、図において、同一形状に形成された風向可変ルーバー９ａ、９ｂを横列して接続するジョイント部材は前記風向可変ルーバー９ａ、９ｂの断面形状と同様の内径口１３ａ、１３ｂを有してい鞘管形状ジョイント部材１４である。
【００２６】
鞘管形状ジョイント部材１４は前記風向可変ルーバー９ａ、９ｂの端部をそれぞれ嵌合して連結一体化して伸張した風向可変ルーバー９を形成し、該風向可変ルーバー９は鞘管形状ジョイント部材１４内にて互いに摺動可能で伸縮できる構成と成っており、前述の実施例と同様に吹出口の長い機種のエアコンに図８の如く設置することができる。
【００２７】
【発明の効果】
本発明にあっては、二枚の風向可変ルーバーをジョイント部材で材連結一体化して、該風向可変ルーバーの総体長さを大幅に長くすること、並びにジョイント部材間にて二枚の風向可変ルーバーを互いに摺動可能で伸縮できるエアコン用風向可変ルーバーの長さ調整構造を提供することができた。
【００２８】
本発明の実施により、エアコンの機種、メーカーによって吹出口長さが異なり、該現状に対応して各種長さの風向可変ルーバーを製造すると合成樹脂等の成型金型代が高額になるのを抑え、安価でデザイン性のよいエアコン用風向可変ルーバーの長さ調整構造を提供することができた。
【００２９】
更に、本発明は二枚の風向可変ルーバーを一つのジョイント部材にて連結一体化する例をあげ、詳説してきたが、近時、オフィスの窓際には、窓の開口幅と同様にスリット型の長い冷暖房吹出口を設けて成る空調機も多くみられ、この様な機種には、三枚の風向可変ルーバーを二つのジョイント部材にて接続一体化して使用することもまた可能なエアコン用風向可変ルーバーの長さ調整構造を提供することができた。
【図面の簡単な説明】
【図１】エアコンの吹出口に本発明に使用される風向可変ルーバーを取り付けた状態を示す正面図である。
【図２】図１のＡ−Ａ断面図である。
【図３】天井組み込み型エアコンに本発明を取り付けた状態を示す天井伏せ図である。
【図４】本発明の実施例を示す説明図である。
【図５】ルーバージョイント部材を説明する斜視図である。
【図６】本発明の他の実施例を示す説明図である。
【図７】他の実施例に使用されるジョイント部材を説明する斜視図である。
【図８】本発明をエアコン外装部に取り付けた状態を示す天井伏せ図である。
【符号の説明】
１　エアコンの外装部
２　エアコンの吹出口
３ａ、３ｂ　固定板
４ａ、４ｂ　固定板の止着部
５ａ、５ｂ　嵌合溝
６ａ、６ｂ　支持アーム
７ａ、７ｂ　Ｔ字型固定部
８ａ、８ｂ　軸受け部
９　風向可変ルーバー
１０ａ、１０ｂ　回転軸
１１ａ、１１ｂ　嵌合縁部
１２　ジョイント部材
１３ａ、１３ｂ　内径口
１４　鞘管形状ジョイント部
【図１】
2004138364.tif 000003
【図２】
2004138364.tif 000004
【図３】
2004138364.tif 000005
【図４】
2004138364.tif 000006
【図５】
2004138364.tif 000007
【図６】
2004138364.tif 000008
【図７】
2004138364.tif 000009
【図８】
2004138364.tif 000010